(57)【要約】【課題】  天板の後端に机上パネルが立設されたデスクに取付けて該机上パネルとでワークスペースを区画形成するデスク用パネルを、机上パネルの左右方向任意の位置に取付けることができ、簡単な作業で強固に支持することができるデスク用パネルの取付構造を提供する。【解決手段】  机上パネル５は表面上端部に沿って上係止溝１８を有するとともに、下端部に沿って下方へ開放した下係止溝１９を有し、デスク用パネルＢの後端面の上端部に、上係止溝に係止する下向きフック３４を備えた上部連結金具８を固定し、デスク用パネルの後端面に沿って上下方向に延びた下部連結金具９を上下スライド可能に取付けるとともに、下部連結金具の下端部に下係止溝に係止する上向きフック３５を一体的に設け、更に上部連結金具を上方から貫通し、下部連結金具の上端に螺合する締結ネジ３６を設けた。【選択図】        図４
2010194224.tif 000002
【特許請求の範囲】
【請求項１】
天板の後端部に沿って机上パネルが立設されたデスクに取付けて該机上パネルとでワークスペースを区画形成するデスク用パネルの取付構造であって、前記机上パネルは表面上端部に沿って上係止溝を有するとともに、下端部に沿って下方へ開放した下係止溝を有し、前記デスク用パネルの後端面の上端部に、前記上係止溝に係止する下向きフックを備えた上部連結金具を固定し、前記デスク用パネルの後端面に沿って上下方向に延びた下部連結金具を上下スライド可能に取付けるとともに、該下部連結金具の下端部に前記下係止溝に係止する上向きフックを一体的に設け、更に前記上部連結金具を上方から貫通し、前記下部連結金具の上端に螺合する締結ネジを設けたことを特徴とするデスク用パネルの取付構造。
【請求項２】
前記デスク用パネルの後端面に縦溝を形成し、該縦溝内の上端部に前記上部連結金具を取付け、該上部連結金具の下方の縦溝内に前記下部連結金具を嵌合するとともに、該下部連結金具の下部に設けた縦長孔にネジを通し、該ネジを前記縦溝底面に螺着して上下スライド可能に支持してなる請求項１記載のデスク用パネルの取付構造。
【請求項３】
前記上部連結金具には通孔を設けた水平な支持片を形成するとともに、下端部に受片を下向きに形成する一方、前記下部連結金具の上端に螺孔を形成した水平な吊支片を形成するとともに、上部内に前記受片の内側に係止する係止爪を上向きに形成し、前記上向きフックを前記下係止溝に係止した際、あるいは前記上部連結金具の支持片の通孔に上方から挿入した前記締結ネジを前記下部連結金具の吊支片の螺孔に螺合し、前記下部連結金具を引き上げた際に、前記受片の内側に前記係止爪が係止してなる請求項１又は２記載のデスク用パネルの取付構造。
【請求項４】
前記天板上面に対応する前記デスク用パネルの水平下端面に、該天板の前縁部下面下に配置する固定部材と、該固定部材に対して上下方向に変位する押圧部材とからなるクランプを設け、前記天板上面に前記デスク用パネルの水平下端面を載置した状態で、前記押圧部材で天板下面を押圧して保持する請求項１〜３何れかに記載のデスク用パネルの取付構造。
【発明の詳細な説明】
【技術分野】
【０００１】
本発明は、デスク用パネルの取付構造に係わり、更に詳しくは天板の後端に机上パネルが立設されたデスクに取付けて該机上パネルとでワークスペースを区画形成するデスク用パネルの取付構造に関するものである。
【背景技術】
【０００２】
従来から、天板の後端に沿って机上パネルを立設したパネル付きデスク、あるいは独立したデスクを前後に背面を合わせて側方へ列設したデスク配置、又は共通の脚部材で前後に天板を支持するとともに、側方へ次々に連結した構造のデスク列において、前後の天板間に机上パネルを立設した構造は公知である。そして、これらの机上パネル（フロントパネル又はバックパネルとも称される）を有するデスクシステムにおいて、前述の机上パネルとともにサイドパネルを天板上に立設して、前後左右の区画を行うことも公知である。ここで、サイドパネルの取付構造についても各種の構造が提案されている。
【０００３】
特許文献１には、机上パネルの両側部に形成した上下の係止穴に、サイドパネルの後端に取付けた後部連結金具の係止爪を係合するとともに、サイドパネルの前端下部を天板の前縁にクランプ構造の前部連結金具で取付けている。ここで、前部連結金具は、天板に前方から被さる状態で嵌まる側面視コ字状のクランプ体と、クランプ体の下水平部に下方から被さる状態で嵌まる正面視上向き開口コ字状の押さえ部材と、押さえ部材を貫通してクランプ体の下水平部に下方からねじ込まれるビスとによって構成されており、ビスをねじ込むと押さえ部材が天板の下面に突っ張り、クランプ体の下水平部が天板の上面に強く押圧され、クランプ体は天板に固定されるのである。
【０００４】
特許文献２には、サイドパネルの端部を机上パネルのパネル面に突き合わせ、サイドパネルの少なくとも２箇所に設定した受圧部と机上パネルの対応部位との間を、これらに着脱可能に係り合わせた第１の緊締機構によって前記端部を前記パネル面に押し付ける方向に緊締するとともに、サイドパネルの前記端部と直交する直交端部を同時に天板の上面に突き合わせ、サイドパネルのうち前記受圧部から机上パネルとは反対側へ変位した部位に設定した受圧部と天板の対応部位との間を、これらに着脱可能に係り合わせた第２の緊締機構によって前記直交端部を前記天板の上面に押し付ける方向に緊締するように構成したことを特徴とするパネル連結構造が記載されている。
【０００５】
しかし、特許文献１に記載の取付構造は、机上パネルの縦目地部にサイドパネルの取付位置が限定される。一方、特許文献２に記載の取付構造は、第１の緊締機構及び第２の緊締機構として、ネジで天板の前端部を上下から挟持するクランプ機構が例示され、フロントパネル及び天板の左右方向任意の位置に取付けることができる構造であるが、クランプ機構が露出し、見苦しさは否めない。また、サイドパネルの姿勢を保ちながら上下の第１、第２の緊締機構をそれぞれ締め付ける作業が必要である。
【特許文献１】特開２００８−０７３４６７号公報
【特許文献２】特開２００８−１１９４１２号公報
【発明の概要】
【発明が解決しようとする課題】
【０００６】
そこで、本発明が前述の状況に鑑み、解決しようとするところは、天板の後端に机上パネルが立設されたデスクに取付けて該机上パネルとでワークスペースを区画形成するデスク用パネルの取付構造において、デスク用パネルを机上パネルの左右方向任意の位置に取付けることができるとともに、簡単な作業で強固に支持することができるデスク用パネルの取付構造を提供する点にある。
【課題を解決するための手段】
【０００７】
本発明は、前述の課題解決のために、天板の後端部に沿って机上パネルが立設されたデスクに取付けて該机上パネルとでワークスペースを区画形成するデスク用パネルの取付構造であって、前記机上パネルは表面上端部に沿って上係止溝を有するとともに、下端部に沿って下方へ開放した下係止溝を有し、前記デスク用パネルの後端面の上端部に、前記上係止溝に係止する下向きフックを備えた上部連結金具を固定し、前記デスク用パネルの後端面に沿って上下方向に延びた下部連結金具を上下スライド可能に取付けるとともに、該下部連結金具の下端部に前記下係止溝に係止する上向きフックを一体的に設け、更に前記上部連結金具を上方から貫通し、前記下部連結金具の上端に螺合する締結ネジを設けたことを特徴とするデスク用パネルの取付構造を構成した（請求項１）。
【０００８】
ここで、前記デスク用パネルの後端面に縦溝を形成し、該縦溝内の上端部に前記上部連結金具を取付け、該上部連結金具の下方の縦溝内に前記下部連結金具を嵌合するとともに、該下部連結金具の下部に設けた縦長孔にネジを通し、該ネジを前記縦溝底面に螺着して上下スライド可能に支持してなることが好ましい（請求項２）。
【０００９】
また、前記上部連結金具には通孔を設けた水平な支持片を形成するとともに、下端部に受片を下向きに形成する一方、前記下部連結金具の上端に螺孔を形成した水平な吊支片を形成するとともに、上部内に前記受片の内側に係止する係止爪を上向きに形成し、前記上向きフックを前記下係止溝に係止した際、あるいは前記上部連結金具の支持片の通孔に上方から挿入した前記締結ネジを前記下部連結金具の吊支片の螺孔に螺合し、前記下部連結金具を引き上げた際に、前記受片の内側に前記係止爪が係止してなることがより好ましい（請求項３）。
【００１０】
そして、前記天板上面に対応する前記デスク用パネルの水平下端面に、該天板の前縁部下面下に配置する固定部材と、該固定部材に対して上下方向に変位する押圧部材とからなるクランプを設け、前記天板上面に前記デスク用パネルの水平下端面を載置した状態で、前記押圧部材で天板下面を押圧して保持することも好ましい（請求項４）。
【発明の効果】
【００１１】
以上にしてなる請求項１に係る発明のデスク用パネルの取付構造は、机上パネルは表面上端部に沿って上係止溝を有するとともに、下端部に沿って下方へ開放した下係止溝を有し、前記デスク用パネルの後端面の上端部に、前記上係止溝に係止する下向きフックを備えた上部連結金具を固定し、前記デスク用パネルの後端面に沿って上下方向に延びた下部連結金具を上下スライド可能に取付けるとともに、該下部連結金具の下端部に前記下係止溝に係止する上向きフックを一体的に設け、更に前記上部連結金具を上方から貫通し、前記下部連結金具の上端に螺合する締結ネジを設けたので、前記下向きフックを上係止溝に係止し且つ前記上向きフックを下係止溝の下方に位置させた状態で、前記締結ネジを締め付けるだけで、前記下部連結金具を引き上げて前記上向きフックを下係止溝に係止し、下向きフックと上向きフックで上下から挟持して強固に連結することができる。特に、デスク前面の通路空間を含めて机上パネルとでワークスペースを区画形成するために、天板上に載る水平部分と通路の床面まで延びた垂直部分を有する倒Ｌ字形の形状の大型のデスク用パネルを取付けた場合にも支持強度が高いので安定して支持することができる。
【００１２】
請求項２によれば、前記デスク用パネルの後端面に縦溝を形成し、該縦溝内の上端部に前記上部連結金具を取付け、該上部連結金具の下方の縦溝内に前記下部連結金具を嵌合したので、上部連結金具と下部連結金具を縦溝内に収容することができ、露出する部分が減るので意匠上すっきりし、外観性の向上が図れ、また下部連結金具の下部に設けた縦長孔にネジを通し、該ネジを前記縦溝底面に螺着して上下スライド可能に支持してなるので、デスク用パネルに対する下部連結金具の下部の取付強度が増し、また下部連結金具の上端部は前記上部連結金具に締結ネジを介して連結されるので取付強度が増し、もって机上パネルへの支持強度が大きくなる。
【００１３】
請求項３によれば、前記上部連結金具には通孔を設けた水平な支持片を形成するとともに、下端部に受片を下向きに形成する一方、前記下部連結金具の上端に螺孔を形成した水平な吊支片を形成するとともに、上部内に前記受片の内側に係止する係止爪を上向きに形成し、前記上向きフックを前記下係止溝に係止した際、あるいは前記上部連結金具の支持片の通孔に上方から挿入した前記締結ネジを前記下部連結金具の吊支片の螺孔に螺合し、前記下部連結金具を引き上げた際に、前記受片の内側に前記係止爪が係止してなるので、下部連結金具の上部を、前記上部連結金具を介してデスク用パネルの端部から引き離す方向への変位を確実に規制することができるので、取付強度が格段に向上する。
【００１４】
請求項４によれば、前記天板上面に対応する前記デスク用パネルの水平下端面に、該天板の前縁部下面下に配置する固定部材と、該固定部材に対して上下方向に変位する押圧部材とからなるクランプを設け、前記天板上面に前記デスク用パネルの水平下端面を載置した状態で、前記押圧部材で天板下面を押圧して保持するので、天板の前縁部の断面形状によらず、デスク用パネルの前方下端面とクランプの押圧部材とで、天板前縁部を上下から挟持して該デスク用パネルを確実に保持することができる。
【図面の簡単な説明】
【００１５】
【図１】本発明のデスク用パネルの取付構造を適用したデスクシステムの斜視図である。
【図２】同じくデスクと机上パネル及びデスク用パネルの関係を示す簡略側面図である。
【図３】同じく要部の全体拡大側面図である。
【図４】机上パネルにデスク用パネルを取付ける構造を示す拡大分解側面図である。
【図５】同じく机上パネルにデスク用パネルを取付けた状態を示す拡大分解側面図である。
【図６】デスク用パネルの取付構造を示す分解斜視図である。
【図７】クランプを用いて天板の前縁部に取付けた状態を示し、（ａ）は部分拡大側面図、（ｂ）は部分拡大断面図である。
【図８】クランプの分解斜視図である。
【発明を実施するための形態】
【００１６】
次に、添付図面に示した実施形態に基づき、本発明を更に詳細に説明する。図１〜図３は、本発明のデスク用パネルの取付構造をパネル付き組立式デスクに適用してワーススペースを区画形成した使用例を示し、図４〜図８はデスク用パネルの取付構造の詳細を示し、図中符号Ａは組立式デスク、Ｂはデスク用パネル、１は端部脚、２は中間脚、３は脚間モジュール、４は天板、５は机上パネル、６は端部パネル、７は幕板、８は上部連結金具、９は下部連結金具、１０はクランプをそれぞれ示している。
【００１７】
本実施形態に係る組立式デスクＡは、両端部に配する端部脚１，１、中間に配する複数の中間脚２，…、脚間を連結する複数の脚間モジュール３，…及び天板４，…を有し、前記端部脚１と中間脚２、あるいは両側の中間脚２，２に、前後中央部にダクト開口１１を設けて天板４，４を前後に載置固定するとともに、前記ダクト開口１１内で前記端部脚１及び中間脚２に取付けた支持部材１２，…に机上パネル５，…を取付けるとともに、ダクト開口１１にはダクトカバー１３，…を装着し、更に前記端部脚１の上部で外側面には前記机上パネル５と同じ高さの端部パネル６を取付けて構成している。ここで、前後の天板４，４の端部とダクトカバー１３の間には、コードを挿通するための隙間を設けている。また、前記各脚間モジュール３の下部には、パンチングメタル製の幕板７を吊り下げている。
【００１８】
通常、前述の組立式デスクＡは、前後一対の天板４，４、中間脚２及び脚間モジュール３を単位として次々に連結してデスク列を構成し、それらデスク列を平行に所定間隔を置いて複数設置して使用する。そして、デスク列は中央部の机上パネル５，…で前後に仕切られており、各天板４の前に着座して対面状態でデスクワークを行うのである。
【００１９】
本実施形態のデスク用パネルＢは、天板４上に載る水平部分１４と通路の床面Ｆまで延びた垂直部分１５を有する倒Ｌ字形の形状である。そして、図２に示すように、前記デスク用パネルＢは、水平部分１４の後端部を前記机上パネル５に上部連結金具８と下部連結金具９で前記机上パネル５の上下端部に係止するとともに、前記水平部分１４と垂直部分１５のコーナー部１６を前記天板４の前縁部にクランプ１０で締め付けて連結する構造となっている。また、前記デスク用パネルＢの垂直部分１５の下端前後には上下高さを調節可能なアジャスター１７，１７を設け、床面Ｆに圧接できるようになっている。しかし、本発明では、前記デスク用パネルＢの形状は、前述の倒Ｌ字形に限定されず、前記水平部分１４のみ、即ち前記天板４の上面に載置される側面視略四角形の形状のものであってもよく、その場合には天板４上を左右に仕切る機能となる。
【００２０】
前記机上パネル５は、図４及び図５に示すように、表面上端部に沿って上係止溝１８を有するとともに、下端部に沿って下方へ開放した下係止溝１９を有している。つまり、前記机上パネル５は、パネル板２０の上端に、両側に前記上係止溝１８，１８を形成したアルミ押出し型材からなる上レール部材２１をネジ止めするとともに、パネル板２０の下端に、下面両側に前記下係止溝１９，１９を形成したアルミ押出し型材からなる下レール部材２２をネジ止めして構成したものである。更に詳しくは、前記机上パネル５の上係止溝１８は、開口溝の口縁下側に係止条２３を有する形状である。
【００２１】
そして、図４〜図６に示すように、前記デスク用パネルＢの上端にも前記上レール部材２１と同様な上レール部材２４が取付けられ、該上レール部材２４の端部において上板部２５を切り欠いて開口部２６を形成し、該開口部２６に臨む下板部２７に上方から貫通させたネジ２８を本体パネル２９の上面に螺合するとともに、合成樹脂製の上部端キャップ３０の化粧板３１で上レール部材２４の端部を覆い且つ該化粧板３１から延びた嵌合部３２を前記開口部２６に充填して嵌合するようになっている。更に、前記デスク用パネルＢの後端面に縦溝３３を形成し、該縦溝３３内の上端部に前記上部連結金具８を取付け、該上部連結金具８の下方の縦溝３３内に前記下部連結金具９を上下スライド可能に嵌合できるようになっている。また、前記デスク用パネルＢの水平部分１４の高さは、前記机上パネル５と略同一高さに設定している。
【００２２】
本発明に係るデスク用パネルの取付構造は、図４〜図６に示すように、前記デスク用パネルＢの後端面の上端部に、前記上係止溝１８に係止する下向きフック３４を備えた上部連結金具８を固定し、前記デスク用パネルＢの後端面に沿って上下方向に延びた下部連結金具９を上下スライド可能に取付けるとともに、該下部連結金具９の下端部に前記下係止溝１９に係止する上向きフック３５を一体的に設け、更に前記上部連結金具８を上方から貫通し、前記下部連結金具９の上端に螺合する締結ネジ３６を設けたものである。
【００２３】
更に詳しくは、前記デスク用パネルＢの後端面に形成した縦溝３３内の上端部に前記上部連結金具８を取付け、該上部連結金具８の下方の縦溝３３内に前記下部連結金具９を嵌合するとともに、該下部連結金具９の下部に設けた縦長孔３７に段付きネジ３８を通し、該段付きネジ３８を前記縦溝３３底面に螺着して上下スライド可能に支持している。
【００２４】
また、前記上部連結金具８には通孔４０を設けた水平な支持片３９を形成するとともに、下端部に受片４１を下向きに形成する一方、前記下部連結金具９の上端に螺孔４３を形成した水平な吊支片４２を形成するとともに、上部内に前記受片４１の内側に係止する係止爪４４を上向きに形成し、前記上向きフック３５を前記下係止溝１９に係止した際、あるいは前記上部連結金具８の支持片３９の通孔４０に上方から挿入した前記締結ネジ３６を前記下部連結金具９の吊支片４２の螺孔４３に螺合し、前記下部連結金具９を引き上げた際に、前記受片４１の内側に前記係止爪４４が係止するようにしている。
【００２５】
具体的には、前記上部連結金具８は、図４〜図６に示すように、前記デスク用パネルＢの縦溝３３の底面にネジ止めするための固定板４５を有し、該固定板４５の上端を直角に折曲して前記支持片３９を形成し、該支持片３９の先端を上方へ延設して前記下向きフック３４を形成し、更に前記固定板４５の下端を直角に折曲し、その先端を下方へ直角に折曲して前記受片４１を形成している。ここで、前記上部連結金具８の固定板４５と支持片３９の横幅は、前記縦溝３３の横幅に一致させ、前記受片４１の横幅は、前記縦溝３３の横幅よりも狭く設定し、前記固定板４５に形成した取付孔４６，４６に通したネジ４７，４７で縦溝３３底面に取付けた状態で、該縦溝３３の両側壁との間に板厚程度の間隙を設けている。前記下向きフック３４を形成した部分は横幅を広くし、中央部に切欠部４８を設け、その両側に下向きフック３４，３４を形成し、前記上係止溝１８の係止条２３に対する接触面積を大きくしている。
【００２６】
また、前記下部連結金具９は、長尺の断面略コ字形の杆体４９の下端部内部に前記上向きフック３５と縦長孔３７を設けた下金具５０を固定するとともに、前記杆体４９の上端部内部に前記吊支片４２と係止爪４４を設けた上金具５１を固定して構成している。前記杆体４９は、基面板５２の両側に側面板５３，５３を折曲形成したものであり、凹溝側を前記縦溝３３に向けて配置する。前記下金具５０は、前記縦長孔３７を形成した取付板５４の上下縁に、前記杆体４９の基面板５２の内面に溶接する脚板５５，５５を折曲形成するとともに、下方の脚板５５の下端に前記上向きフック３５を形成している。ここで、前記上向きフック３５を形成する部分は横幅を広くし、中央部に切欠部５６を設け、その両側に上向きフック３５，３５を形成し、前記下係止溝１９に対する接触面積を大きくしている。尚、前記縦長孔３７に対応する杆体４９の基面板５２には、該縦長孔３７よりも大きく、前記段付きネジ３８とそれを回転するドライバーの先端が通過可能な開口５７を形成している。そして、前記上金具５１は、前記前記杆体４９の基面板５２の内面に溶接する基板５８の上端に前記吊支片４２を直角に折曲形成するとともに、該基板５８の下端に直角に折曲し、その先端を上方へ直角に折曲して前記係止爪４４を形成している。
【００２７】
先ず、前記上部連結金具８の固定板４５を、前記デスク用パネルＢの縦溝３３の底面にネジ４７で固定する。次に、前記下部連結金具９の略半分を前記縦溝３３内に嵌合し、前記上部連結金具８の前記受片４１を杆体４９の両側面板５３，５３間に受け入れ、前記開口５７から挿入した段付きネジ３８を、縦長孔３７を通して縦溝３３の底面に螺着し、該縦溝３３内で上下スライド可能に取付ける。前記下部連結金具９が最も下方に位置した際に、前記上部連結金具８の受片４１の内側に前記下部連結金具９の係止爪４４が係止した状態になっていても良い。その場合には、常に前記受片４１の内側に前記係止爪４４が係止した状態となる。それから、前記上部連結金具８の支持片３９と前記下部連結金具９の吊支片４２は、上下に平行に位置しており、前記支持片３９の通孔４０に上方から締結ネジ３６を挿通し、前記吊支片４２の螺孔４３に緩く螺合する。この状態で、前記受片４１と前記係止爪４４が離れていても、前記上部連結金具８と下部連結金具９の上端は締結ネジ３６で連結されているので、ガタつくことはない。
【００２８】
このように、前記デスク用パネルＢの後端面に、前記上部連結金具８と下部連結金具９を装着して連結の準備が完了する。そして、前記机上パネル５に当該デスク用パネルＢの後端部を取付けるには、該デスク用パネルＢを若干持ち上げて、先ず前記上部連結金具８の下向きフック３４を上係止溝１８に係止するともに、下部連結金具９の杆体４９を机上パネル５のパネル面に当接する。このとき、前記上レール部材２４の上部端キャップ３０は外しておく。それから、前記上レール部材２４の開口部２６に臨んだ位置にある前記締結ネジ３６を時計回りに回転させると、前記下部連結金具９が上方へスライド移動し、ついに前記上向きフック３５が下係止溝１９に係止するようになる。更に、前記締結ネジ３６を締め付けて、下向きフック３４と上向きフック３５で机上パネル５を挟み込んで固定する。それから、図５に示すように、前記下向きフック３４，３４と上係止溝１８内に弾性部材５９を詰め込んで、該上部連結金具８の上方移動を規制する。最後に、前記上部端キャップ３０を上レール部材２４の開口部２６に嵌着する。
【００２９】
次に、前記クランプ１０は、図７及び図８に示すように、上部に前記デスク用パネルＢの水平部分１４のコーナー部１６近傍の下端に固定する固定部材６０と、該固定部材６０に対して上下方向に変位する押圧部材６１とからなる。尚、前記押圧部材６１の上面にはゴム製の緩衝板６２を貼着している。前記固定部材６０は、コーナー部１６近傍内部に埋設固定する水平な固定板６３と、該固定板６３から下方に延び、下方が幅広となった垂直板６４と、該垂直板６４の下端に前記固定板６３と平行に設けた支持板６５を有するとともに、前記支持板６５の両端部には螺孔６６，６６を形成したものである。前記押圧部材６１は、前記支持板６５を内部に収容できるものであり、上面板６７の両側に下方へ断面Ｌ字形の保持片６８，６８を折曲形成し、両保持片６８，６８の対向する下片６９，６９にそれぞれ通孔７０，７０を形成したものである。
【００３０】
そして、前記固定部材６０の支持板６５を抱き込むように前記押圧部材６１を外挿し、下方から締結ネジ７１，７１を該押圧部材６１の下片６９，６９の通孔７０，７０に挿入するとともに、固定部材６０の支持板６５に形成した螺孔６６，６６に螺合する。そして、前記デスク用パネルＢの水平部分１４の下端面を前記天板４の上面に載置するとともに、前記押圧部材６１を天板４の下面に位置させ、前述のように該水平部分１４の後端を前記上部連結金具８と下部連結金具９とで机上パネル５の上下端部に係止した後、前記クランプ１０の締結ネジ７１，７１を右回りに回転させて締め付けると、前記押圧部材６１が上昇して上面板６７に貼着した緩衝板６２が天板４の下面に圧接して取付ける。つまり、前記水平部分１４の下端と緩衝板６２とで天板４を上下から締め付けて固定するのである。最後に、前記アジャスター１７，１７を回転させて床面Ｆに圧接する。前述のように、前記固定部材６０の支持板６５は横幅を広くし、それに伴って前記押圧部材６１の上面板６７も横幅が広くしたので、前記天板４の下面に対する接触面積が増大し、より安定である。ここで、前記デスク用パネルＢの水平部分１４の下端にゴム製の緩衝板を貼着し、前記天板４の上面に圧接するようにすれば、多少前記締結ネジ７１，７１が緩んでも接触抵抗が大きいので、前後左右に移動することがないのである。
【００３１】
このように、前記上部連結金具８と下部連結金具９及びクランプ１０による３点支持と、しかも下向きフック３４と上向きフック３５による上下からの挟持により、支持強度が非常に高くなるのである。また、前記クランプ１０から離れた位置にあるアジャスター１７，１７が床面Ｆに圧接することにより、大型の前記デスク用パネルＢを机上パネル５と天板４に強固に連結することができる。それにより、前記机上パネル５とデスク用パネルＢとで、天板４の上から着座スペースにわたって区画されたワークスペースを形成することができる。勿論、前記デスク用パネルＢは、天板４の上面に収まる小型のサイドパネルであっても構わないのである。
【符号の説明】
【００３２】
Ａ  組立式デスク、      Ｂ  デスク用パネル、
１  端部脚、            ２  中間脚、
３  脚間モジュール、    ４  天板、
５  机上パネル、        ６  端部パネル、
７  幕板、              ８  上部連結金具、
９  下部連結金具、      １０  クランプ、
１１  ダクト開口、      １２  支持部材、
１３  ダクトカバー、    １４  水平部分、
１５  垂直部分、        １６  コーナー部、
１７  アジャスター、    １８  上係止溝、
１９  下係止溝、        ２０  パネル板、
２１  上レール部材、    ２２  下レール部材、
２３  係止条、          ２４  上レール部材、
２５  上板部、          ２６  開口部、
２７  下板部、          ２８  ネジ、
２９  本体パネル、      ３０  上部端キャップ、
３１  化粧板、          ３２  嵌合部、
３３  縦溝、            ３４  下向きフック、
３５  上向きフック、    ３６  締結ネジ、
３７  縦長孔、          ３８  段付きネジ、
３９  支持片、          ４０  通孔、
４１  受片、            ４２  吊支片、
４３  螺孔、            ４４  係止爪、
４５  固定板、          ４６  取付孔、
４７  ネジ、            ４８  切欠部、
４９  杆体、            ５０  下金具、
５１  上金具、          ５２  基面板、
５３  側面板、          ５４  取付板、
５５  脚板、            ５６  切欠部、
５７  開口、            ５８  基板、
５９  弾性部材、        ６０  固定部材、
６１  押圧部材、        ６２  緩衝板、
６３  固定板、          ６４  垂直板、
６５  支持板、          ６６  螺孔、
６７  上面板、          ６８  保持片、
６９  下片、            ７０  通孔、
７１  締結ネジ。
【図１】
2010194224.tif 000003
【図２】
2010194224.tif 000004
【図３】
2010194224.tif 000005
【図４】
2010194224.tif 000006
【図５】
2010194224.tif 000007
【図６】
2010194224.tif 000008
【図７】
2010194224.tif 000009
【図８】
2010194224.tif 000010